(57)【要約】      （修正有）【課題】地点ごとにそれぞれ独自性を出すことができ、且つ、娯楽性を向上させて見易く表示することが可能なナビゲーション装置及びナビゲーション方法を提供する。【解決手段】地図上で特定された地点に刺すピンを通常のピンではなく、キャラクター化したり、使用時に音を発生させたりすることにより、バリエーションを持たせた特殊なピンとする。キャラクターピンの場合、地図上に刺さる際、そのキャラクターに関連する効果音が発生する。例えば、話題のお笑い芸人Ａを使っている場合、そのお笑い芸人のフレーズ等を示す音と共にピンが地図上に刺さる。これにより、楽しさを感じさせる画像と、周囲にも面白さを感じさせる音と共に、アプリを楽しく利用する機会を創出する。【選択図】図１２
2020046548.tif 000002
【特許請求の範囲】
【請求項１】
地図情報に基づいて地図を表示する表示手段と、
前記表示手段により表示された前記地図上の一又は複数の任意の地点を特定する地点特定手段と、
前記地点特定手段により特定された地点を示すためのマークを作成又は複数の候補の中から選択して登録するマーク登録手段と、
前記マーク登録手段により登録された前記マークを前記地図上に表示するマーク表示手段と、を備え、
前記マーク表示手段により表示されたマークは、前記地点ごとに関連付けられた所定の音、現実若しくは仮想を含む静止画像若しくは動画像、ホログラム、又は、仮想立体像のうち少なくとも一つを出力表示することを特徴とするナビゲーション装置。
【請求項２】
コンピュータが、
地図情報に基づいて地図を表示する表示ステップと、
前記表示ステップにより表示された前記地図上の一又は複数の任意の地点を特定する地点特定ステップと、
前記地点特定ステップにより特定された地点を示すためのマークを作成又は複数の候補の中から選択して登録するマーク登録ステップと、
前記マーク登録ステップにより登録された前記マークを前記地図上に表示するマーク表示ステップと、を備え、
前記マーク表示ステップにより表示されたマークは、前記地点ごとに関連付けられた所定の音、現実若しくは仮想を含む静止画像若しくは動画像、ホログラム、又は、仮想立体像のうち少なくとも一つを出力表示することを特徴とするナビゲーション方法。
【発明の詳細な説明】
【技術分野】
【０００１】
本発明は、情報端末に地図を表示するナビゲーション装置及びナビゲーション方法に関する。
【背景技術】
【０００２】
従来から、情報端末やネットワーク通信の発展に伴い、情報端末に地図を表示することが行われている。例えば、ユーザは、携帯した情報端末上に地図を表示し、その表示された地図を見ながら、自分の現在地を確認しつつ目的地に移動することができる。
【０００３】
例えば、特許文献１に示すナビゲーションシステムでは、携帯端末において、受信されたマップデータのうち現在位置の属するものが検索され、エリアマップとして画面に表示することにより、目的地までの地図情報を欠落なく順次表示することができるようにしている。
また、特許文献２に示すナビゲーションシステムでは、複数の目的地を設定することができると共に、出発地から各目的地までの案内ルートを携帯電話機の１画面で表示できるようにしている。
【先行技術文献】
【特許文献】
【０００４】
【特許文献１】特開２００２−５４９３５号公報
【特許文献２】特開２００５−３４５１１５号公報
【発明の概要】
【発明が解決しようとする課題】
【０００５】
しかしながら、特許文献１、２では、目的地を示す目印に何ら特徴もなく画一的であるため、ユーザにとっては、その目印が地図中に埋もれてしまうことにより目的地を確認し難いという問題がある。また、地図上で一見してその目印が示す地点が何の施設であるか判別できないという問題がある。さらに、どの地点も似通った同じような目印であったり、他のユーザとも同じ目印であったりすると、地図を単に目的地に辿り着くためのツールとして利用するだけとなるため面白味に欠け、地図を楽しみながら利用することができないという問題がある。一方、どの地点も画一的な目印で示すと、その目印によって示される施設側としても、独自性を出してユーザの目を惹き、他との差別化を図ることができないという問題がある。
【０００６】
そこで、本発明は、上記の問題に鑑みてなされたものであり、その目的は、地点ごとにそれぞれ独自性を出すことができ、且つ、娯楽性を向上させて見易く表示することが可能なナビゲーション装置及びナビゲーション方法を提供することである。
【課題を解決するための手段】
【０００７】
前記課題は、本発明のナビゲーション装置によれば、地図情報に基づいて地図を表示する表示手段と、前記表示手段により表示された前記地図上の一又は複数の任意の地点を特定する地点特定手段と、前記地点特定手段により特定された地点を示すためのマークを作成又は複数の候補の中から選択して登録するマーク登録手段と、前記マーク登録手段により登録された前記マークを前記地図上に表示するマーク表示手段と、を備え、前記マーク表示手段により表示されたマークは、前記地点ごとに関連付けられた所定の音、現実若しくは仮想を含む静止画像若しくは動画像、ホログラム、又は、仮想立体像のうち少なくとも一つを出力表示すること、により解決される。
【０００８】
また、本発明のナビゲーション方法によれば、コンピュータが、地図情報に基づいて地図を表示する表示ステップと、前記表示ステップにより表示された前記地図上の一又は複数の任意の地点を特定する地点特定ステップと、前記地点特定ステップにより特定された地点を示すためのマークを作成又は複数の候補の中から選択して登録するマーク登録ステップと、前記マーク登録ステップにより登録された前記マークを前記地図上に表示するマーク表示ステップと、を備え、前記マーク表示ステップにより表示されたマークは、前記地点ごとに関連付けられた所定の音、現実若しくは仮想を含む静止画像若しくは動画像、ホログラム、又は、仮想立体像のうち少なくとも一つを出力表示すること、により解決される。
【０００９】
以上のように構成された本発明のナビゲーション装置及びナビゲーション方法では、地図上で任意のある地点を特定した際に、その地点ごとに関連付けられた所定の音、現実若しくは仮想を含む静止画像若しくは動画像、ホログラム、又は、仮想立体像のうち少なくとも一つを含むマーク（例えばピン等）をその地点を示すマークとして出力表示する。
これにより、ユーザとしては、その目立つマークにより、地図上において一目で場所を確認することができるうえ、音、静止画像、動画像、ホログラム、仮想立体像等でそのマークが示す地点がどのような施設か容易に判別することができる。また、地図上に種々のマークを音と共に、又は、静止画像、動画像、ホログラム、仮想立体像等により表示したり、そのマークをカスタマイズしたりできることにより、娯楽性が向上する。
一方、そのマークにより示される施設側としても、自身を示すマークにお店のロゴやオリジナルソング等を用いることにより、独自性を出してユーザの目を惹き、他との差別化を図ることができる。また、ブランディング戦略の一環として利用することもできる。
なお、マークは用意された数種類の候補の中から選択することもできるし、独自に作成して登録することもできる。
【発明の効果】
【００１０】
本発明のナビゲーション装置及びナビゲーション方法によれば、地点ごとにそれぞれ独自性を出すことができ、且つ、娯楽性を向上させて見易く表示することが可能となる。
【図面の簡単な説明】
【００１１】
【図１】ナビゲーション装置を含むナビゲーションシステムの概要を示す構成図である。
【図２】ログイン処理を説明する図である。
【図３】キャンペーンバーナー表示処理を説明する図である。
【図４】ナビゲーション処理の流れを示すフローチャートである。
【図５】情報端末側における画面遷移を説明する図である。
【図６】地図表示態様の切り替えを説明する図である。
【図７】情報端末に表示された画面の一例を示した図である。
【図８】情報端末に表示された画面の一例を示した図である。
【図９】情報端末に表示された画面の一例を示した図である。
【図１０】情報端末に表示された画面の一例を示した図である。
【図１１】ピンの一例を示す図である。
【図１２】情報端末に表示された画面の一例を示した図である。
【図１３】ピンの一例を示す図である。
【図１４】情報端末に表示された画面の一例を示した図である。
【図１５】情報端末に表示された画面の一例を示した図である。
【図１６】情報端末に表示された画面の一例を示した図である。
【図１７】情報端末に表示された画面の一例を示した図である。
【図１８】管理端末側における画面遷移を説明する図である。
【図１９】管理端末に表示された画面の一例を示した図である。
【図２０】管理端末に表示された画面の一例を示した図である。
【図２１】管理端末に表示された画面の一例を示した図である。
【図２２】管理端末に表示された画面の一例を示した図である。
【図２３】管理端末に表示された画面の一例を示した図である。
【図２４】管理端末に表示された画面の一例を示した図である。
【図２５】管理端末に表示された画面の一例を示した図である。
【図２６Ａ】管理端末に表示された画面の一例を示した図である。
【図２６Ｂ】管理端末に表示された画面の一例を示した図である。
【図２７Ａ】管理端末に表示された画面の一例を示した図である。
【図２７Ｂ】管理端末に表示された画面の一例を示した図である。
【図２８】管理端末に表示された画面の一例を示した図である。
【図２９】管理端末に表示された画面の一例を示した図である。
【図３０】管理端末に表示された画面の一例を示した図である。
【図３１】管理端末に表示された画面の一例を示した図である。
【図３２】管理端末に表示された画面の一例を示した図である。
【図３３】管理端末に表示された画面の一例を示した図である。
【図３４】管理端末に表示された画面の一例を示した図である。
【図３５】管理端末に表示された画面の一例を示した図である。
【図３６】管理端末に表示された画面の一例を示した図である。
【図３７】管理端末に表示された画面の一例を示した図である。
【発明を実施するための形態】
【００１２】
以下、本発明の一実施形態（以下「本実施形態」という。）について説明する。
ただし、以下に説明する実施形態は、本発明の理解を容易にするための一例に過ぎず、本発明を限定するものではない。すなわち、本発明は、その趣旨を逸脱することなく、変更、改良され得ると共に、本発明にはその等価物が含まれることは勿論である。
【００１３】
＜本実施形態に係るナビゲーションシステムの概要＞
まず、ナビゲーション装置（以下、サーバ１）を含むナビゲーションシステムＳの概略構成について説明する。
図１は、サーバ１を含むナビゲーションシステムＳの概要を示す構成図である。
【００１４】
図１に示すように、本実施形態のナビゲーションシステムＳは、サーバ１と、ユーザが所持して操作する携帯性を有する情報端末２と、管理者が操作する管理端末３と、各種ＡＰＩ４、翻訳ＡＰＩ５、各種処理を行う外部サーバ６、各種データを保持しているデータベースサーバ７等の外部の各種サービスや各種データベースと、から主に構成されており、それらが通信網である通信回線を介して互いに接続されている。
【００１５】
サーバ１は、この図１に示すナビゲーションシステムＳに組み込まれており、例えば、ナビゲーションシステムＳに基づくサービス（以下、ナビゲーションサービスという。）によって提供される地図を利用して、目的地を設定したり移動したりするユーザと、このナビゲーションサービスに参加して自社の場所を地図上に登録している企業や店舗等（以下、クライアントという。）と、ナビゲーションシステムＳの保守、管理、運用等を行ない、ナビゲーションサービスをユーザ及びクライアントに提供する管理者と、によって利用される。
【００１６】
サーバ１は、ナビゲーションサービスを提供する業者である管理者等が保有又は管理するサーバコンピュータにより構成される。そして、ユーザは、通信回線を介して、サーバ１が提供する機能やサービスを享受することが可能となる。すなわち、ユーザは、それぞれの情報端末２を操作することによりサーバ１と通信して、サーバ１の機能を利用する。また、サーバ１は、一のサーバ装置によって構築されたものに限られず、複数台のサーバ装置を用いて構築されたものであってもよい。
なお、サーバ１の詳細については、後述する。
【００１７】
情報端末２は、データの送受信を可能にするためのデータ送信部及び受信部が備えられており、これによりサーバ１と情報端末２とは通信回線を介してデータの送受信が可能である。また、本実施形態の情報端末２は、グローバル・ポジショニング・システム（ＧＰＳ）等の従来既知の衛星測位システムに対応している。
なお、情報端末２は、携帯性を有することが好ましいが、少なくとも、データ等の入力、作成、変更等を行うための入力機能、データの送受信を可能にするためのデータ送信部及び受信部並びに受信したデータ等を表示する表示部等を備えているものであれば、特に限定されるものではなく、スマートフォン、タブレット端末、デスクトップパソコン、ノートパソコン、携帯電話及びゲーム機等が利用可能である。
【００１８】
管理端末３は、入出力装置等を備えた汎用のパソコン等により構成され、特に、データの送受信を可能にするためのデータ送信部及び受信部が備えられており、これによりサーバ１と管理端末３とは通信回線を介してデータの送受信が可能である。
なお、管理端末３は、少なくとも、データ等の入力、作成、変更等を行うための入力機能、データの送受信を可能にするためのデータ送信部及び受信部並びに受信したデータ等を表示する表示部等を備えているものであれば、特に限定されるものではなく、スマートフォン、タブレット端末、デスクトップパソコン、ノートパソコン、携帯電話及びゲーム機等が利用可能である。
【００１９】
各種ＡＰＩ４には、例えば外部から地図データ機能を利用するものを含む。翻訳ＡＰＩ５には、地図上で表示される言語を、例えば、日本語から英語や中国語に自動的に翻訳する機能を利用するものを含む。
また、外部サーバ６では、例えば、ユーザ認証、プッシュ通知、各種データ保持、アクセス解析等を行なう。データベースサーバ７では、公式ピン、アバターピン、おすすめピン、アバター情報等のデータを記憶している。
【００２０】
通信回線は、例えば、インターネットや３Ｇ、４Ｇ、ＬＴＥ等のモバイルネットワークからなり、サーバ１、情報端末２、その他の外部サービスや外部データベースを相互に通信可能に接続している。
なお、情報端末２は、図１中では一台のみ接続されている構成であるが、実際にはユーザの数に応じて複数台接続されている状態が想定される。また、その他のサーバや情報端末が接続されている構成としてもよい。
【００２１】
＜ナビゲーション装置（サーバ）の詳細構成＞
次に、サーバ１の詳細構成について説明する。
サーバ１は、少なくとも、制御やデータの計算・加工を行う演算部としてのＣＰＵ、読み出し専用の記憶装置としてのＲＯＭ、メインメモリ（主記憶装置）としてのＲＡＭ、通信回線を通じて通信可能な外部の機器等とデータの送受信を行う通信用インタフェース、及び、補助記憶装置としてのハードディスクドライブ等を構成要素として有する。
【００２２】
本実施形態のサーバ１は、クラウドサービスの方式を利用しており、ウェブ上において、仮想サーバ１１、処理サーバ１２、調査サーバ１３、管理サーバ１４、ロードバランサー１５、ＡＰＩゲートウェイ１６、ストレージ１７等、処理役割が分散された各サーバ等が互いに通信可能に接続されることにより、構成されている。
【００２３】
また、サーバ１には、その機能を発揮させるためのプログラム（以下、ナビゲーションプログラムという。）が予めインストールされている。このナビゲーションプログラムがＣＰＵに読み取られて実行されることにより、ナビゲーション装置としての機能が発揮される。
ここで、サーバ１の機能は、ユーザ、クライアント、管理者等によって享受されることになるが、当該機能のユーザ等への提供方式としては、例えば、ＡＳＰサービス等の方式であってもよい。また、データベースサーバは別体として構成してもよい。また、システムバックアップ、データベースバックアップを適宜行うことが好ましい。
【００２４】
サーバ１のハードウェア構成については上述の通りであるが、サーバ１の構成を機能面から改めて説明すると、サーバ１は、地図表示部と、地点特定部と、マーク登録部と、マーク表示部と、を主な構成要素として有している。
地図表示部は、情報端末２に地図情報を送信して情報端末２に地図を表示させる表示手段として機能するものである。地点特定部は、情報端末２からの指示信号に従って目的地等となる地図上の任意の地点を特定する地点特定手段として機能するものである。マーク登録部は、特定された地点を示すためのマーク（ピン）を作成又は複数種類の候補の中から選択して登録するマーク登録手段として機能するものである。マーク表示部は、特定された地点を示すためのマーク（ピン）を情報端末２に送信して情報端末２に表示されている地図上に表示（出力）するマーク表示手段として機能するものである。
これらの機能部は、サーバ１が実行する各種処理を担うものであり、サーバ１を構成する上述のハードウェア構成機器と上述のナビゲーションプログラムとが協働することによって構成されている。
【００２５】
＜ナビゲーション方法＞
次に、本実施形態に係るナビゲーション方法について説明する。
本実施形態に係るナビゲーション方法は、コンピュータとして機能するサーバ１を用いることで実現される。換言すると、サーバ１が実行するナビゲーション処理では、本実施形態に係るナビゲーション方法が適用されている。
【００２６】
まず、ナビゲーションサービスの前提となるログイン処理とキャンペーンバーナー表示処理について説明する。
図２は、ログイン処理を説明する図である。図３は、キャンペーンバーナー表示処理を説明する図である。
【００２７】
ログイン処理は、情報端末２からナビゲーションシステムＳにアクセスしてログインする際に実行される処理である。
具体的には、図２に示すように、情報端末２にてナビゲーションシステムＳ用プログラム（以下、アプリという。）を起動すると、初起動か２回目以降の起動からについて判断され、初回起動の場合はアンケート画面が情報端末２に表示され、アンケートが実施される。２回目以降の起動又はアンケートを終了すると、ユーザ情報が登録されているか否か、且つ、メール確認がされているか否かについて判断され、ユーザ情報が登録されていない場合又はメール確認がされていない場合は、ログイントップ画面にて、ＳＮＳアカウントでログインするか、専用アカウントでログインするか（専用アカウントを持っていない場合は新規で専用アカウントを作成）、スキップして匿名でログインする。ＳＮＳアカウントや専用アカウントでログインした場合は、ユーザ情報が既に存在するか否かを判断し、ユーザ情報が存在する場合はユーザ情報を更新し、ユーザ情報が存在しない場合は、ユーザ情報を登録する。さらに、アンケート登録の有無を判断し、アンケート登録が済んでいない場合は、アンケートを実施してユーザ情報を更新する。上記の工程を経て、ログイン処理が完了し、ユーザの情報端末２に地図（ユーザごとに記憶されている「マイＭＡＰ」）が初期画面として表示される。
【００２８】
キャンペーンバーナー表示処理は、情報端末２にてアプリ起動時に毎回実行される処理である。
具体的には、図３に示すように、まず、情報端末２にアプリがインストールか否か判断し、情報端末２にアプリがインストールされていない場合は、アプリをダウンロードできるストアに接続して表示する。次に、パラメータが指定されているか否か判断し、特定のパラメータが指定されていない場合は、アプリを起動する。一方、パラメータに「ａｒ」が含まれている場合は、アプリを起動した後、ＡＲ画面（詳細は後述する。）を表示する。パラメータに「ｑｒ」が含まれている場合は、アプリを起動した後、二次元コード読取画面を表示する。パラメータに「ｓｈａｒｅ」が含まれている場合は、アプリを起動した後、ログインしているか否かを判断し、ログインしている場合はマイボード画面を表示し、ログインしていない場合はログイン画面を表示する。パラメータに「ｄｅｔａｉｌ」が含まれている場合は、アプリを起動した後、ピン詳細画面を表示する。パラメータに「ｓｔａｍｐｒａｌｌｙ」が含まれている場合は、アプリを起動した後、スタンプラリー画面を表示する。上記のいずれのパラメータも含まれていない場合は、そのままアプリを起動する。
【００２９】
次に、ナビゲーションシステムＳにて実行されるナビゲーション処理の流れについて説明する。
図４は、ナビゲーションシステムＳにおいて実行されるナビゲーション処理の流れを示すフローチャートである。
【００３０】
図４に示すように、まず、サーバ１から情報端末２に地図情報を送信して、情報端末２の画面上に地図を表示する（Ｓ１０１）。次に、ユーザが情報端末２の画面に表示された地図上で任意の地点をタップや長押しする等により生成された地点を特定するための指示信号に従って、その任意の地点を目的地として設定する（Ｓ１０２）。そして、情報端末２の画面に表示された地図上の該当地点に、その特定された地点を示すマークであるピンを表示して（Ｓ１０３）、処理を終了する。
【００３１】
以下、上記の各工程について、情報端末２に表示される画面を参照しつつ、具体的に説明する。
図５は、情報端末２側における画面遷移を説明する図である。図６は、地図表示態様の切り替えを説明する図である。図７〜図１０、図１２、図１４〜図１７は、情報端末２に表示された画面の一例を示した図である。図１１及び図１３は、ピンの一例を示す図である。
【００３２】
図５に示すように、アプリを起動すると、まず、スプラッシュ画面が表示され、必要に応じて（例えば、その情報端末２にて初めて起動した場合等）、チュートリアル画面に遷移する。チュートリアル画面では、このアプリの特徴や一般的な使用方法等の説明が表示される。
【００３３】
次に、上記Ｓ１０１に該当する地図表示工程について具体的に説明する。
アプリ起動後、情報端末２には地図が表示されるが、本実施形態において表示される地図は、図６に示すように、通常の平面状の地図（２Ｄ）とＡＲ技術を用いて立体的に表現したＡＲ地図（３Ｄ）の２パターンの地図が切替可能に表示される。この切替は、画面上に表示されている「ＡＲ」又は「ＭＡＰ」のボタンをタップすることにより、両画面を切替えることができる。
【００３４】
図７（ａ）は２Ｄの地図を表示した状態を示すものであり、図７（ｂ）は３ＤのＡＲ地図を表示した状態を示すものである。
ＡＲ（拡張現実）では、実在する風景にバーチャルの視覚情報を重ねて表示することにより、目の前にある世界を仮想的に拡張して表示することができる。これにより、ＡＲ画面上で目的地を示すピンを表示したり、矢印で方向を示したりして、視覚的に見易く誘導することができる。なお、ＡＲ技術については、従来から既知の技術であるので、ここでの詳細な説明は省略する。
例えば、ＡＲ地図画面上では、目的地までの距離と徒歩でかかる時間を表示している。また、画面上に矢印が表示されたときは、その矢印が指し示す方向に情報端末２を移動させる。方向が合えば、図７（ｂ）に示すように、画面中央に目的地を示すピンが表示されるので、このピンが表示されている方向に向かって進めば、目的地にスムーズに到着することができる。
特に、「駅まで来たけど、どっちに行けばいいんだろう？」等、もうすぐ着くというところまでは来たものの、そこからどちらへ行けばよいかわからないケースは意外と多いが、本実施形態のように、２Ｄの通常の地図画面と３ＤのＡＲ地図画面とを切替え自在に組み合わせることにより、ユーザーを感覚的に目的地へと誘導することができるので、あと少しのところからでも簡単に目的地に辿り着くことができる。
【００３５】
次に、上記Ｓ１０２に該当する目的地設定工程について具体的に説明する。
本実施形態では、主に、任意の場所を長押しすることにより目的地を設定する方法（図８）、周辺スポットから目的地を設定する方法（図９）、検索機能から目的地を設定する方法（図１０）の３つの方法により、目的地を設定することができる。
【００３６】
図８に示すように、情報端末２に表示されている地図上において、このあたりに行きたいという任意の場所を長押しすることにより（図８（ａ））、地図上の該当地点にピンが立ち、その地点を目的地に設定することができる（図８（ｂ））。
なお、ここでは、通常の地図画面上で長押しして目的地を設定したが、ＡＲ地図画面上で長押しして目的地を設定してもよい。
【００３７】
また、図９に示すように、ユーザのいる現在地から近い周辺の施設情報から行きたい場所を選択し、目的地として設定することもできる。
具体的には、画面上の「周辺スポット」ボタンをタップすると（図９（ａ））、カテゴリ選択画面が表示され（図９（ｂ））、そのカテゴリの中から例えば「レストラン」を選択してタップすると、現在地周辺のレストランが候補としてピンが複数表示され、その中から任意の施設を目的地として設定することができる（図９（ｃ））。
【００３８】
また、図１０に示すように、検索機能を使ってスポット名を検索し、その結果から目的地を設定することもできる。
具体的には、画面上の検索ボックスに行きたい場所やそれに関連するキーワードを入力して検索し（図１０（ａ））、その検索結果の中から該当するものを選択すると（図１０（ｂ））、地図上の該当箇所にピンが立つので「ここへ行く」ボタンをタップすることにより、目的地の設定が完了する（図１０（ｃ））。
【００３９】
ここで、目的地として設定した地点に表示されるマークであるピンについて説明する。
本実施形態では、このピンを通常のピンではなく、キャラクター化したり、使用時に音を発生させたりすることにより、バリエーションを持たせた特殊なピンとすることに特徴を有する。
【００４０】
図１１（ａ）は、通常バージョンのピンの一例を示したものである。図１１（ｂ）は、色違いバージョンのピンの一例を示したものである。色違いバージョンでは、通常ピンと同様の形状で色や模様を変更する。図１１（ｃ）は、キャラクターバージョンのピンの一例を示したものである。キャラクターバージョンでは、アニメや映画のキャラクター、芸能人やスポーツ選手等のピンを複数種類用意する。このように、ピンは、色違いバージョンはもちろん、キャラクターバージョン等も用意することにより、特別感を演出する。なお、これらの各種ピンは、アプリ使用時に入手及び使用することができる。
【００４１】
図１２は、地図上にピンを刺した際の一例を示す図である。
図１２に示すように、キャラクターピンの場合、地図上に刺さる際、そのキャラクターに関連する効果音が発生する。例えば、話題のお笑い芸人Ａを使っている場合、そのお笑い芸人Ａのフレーズ等を示す音と共にピンが地図上に刺さる。これにより、楽しさを感じさせる画像と、周囲にも面白さを感じさせる音と共に、アプリを楽しく利用する機会を創出する。
【００４２】
図１３は、特別なエリアに行くことにより入手することができる特別なピン（カスタムピン）の一例を示す図である。
例えば、図１３（ａ）に示すように、ユーザが情報端末２を持って東京○○公園付近に行けば、東京○○タワーピンを入手することができる。また、図１３（ｂ）に示すように、ユーザが情報端末２を持って青森県大間町付近に行けば、まぐろピンを入手することができる。このように、画像と関連する場所に行くことにより、その場所にちなんだピンを入手できる等、ピンを集める楽しさを提供する。
【００４３】
図１４は、個別課金により販売するピンをアプリ上で購入して利用することを示す図である。
このように、色違いピンやキャラクターピン等は、アプリ内のショップで購入し、利用設定することにより、使用可能となる。
【００４４】
また、図１５に示すように、画像読み取り機能を利用することもできる。
具体的には、図１５（ａ）の画像スキャン機能を立ち上げた画面において「画像スキャン」ボタンをタップし、図１５（ｂ）のリーダー画面において、事前に登録してある画像を読み込むと、図１５（ｃ）のようなその画像に対応する画面が表示される。例えば、その画像に対応する店舗の紹介ページに遷移し、雑誌等からリアルのナビゲーションに遷移することが可能である。
また、図１５（ａ）の画面において「文字スキャン」ボタンをタップすると、図１５（ｄ）のリーダー画面において、設置されている看板等の文字を読み込むことにより、例えば、金閣寺という文字を読み込めば、地図上に金閣寺の場所を特定して表示する。
【００４５】
また、図１６に示すように、クーポン利用可能な店舗を表示し、その店舗への誘導を図ることもできる。
具体的には、図１６（ａ）のアプリのトップ画面で「クーポン」ボタンをタップすると、図１６（ｂ）のように地図上で、現在地の周辺で利用可能なクーポンがある店舗を表示する。また、図１６（ｃ）に示すように、クーポンがある店舗はリスト形式でも表示することができる。図１６（ｄ）のマイクーポン画面では、使いたいクーポンを格納することができ、ここでは、横にスワイプすることにより、不要なクーポンを削除することもできる。所望のクーポンをタップすると、そのクーポンを画面に表示し、店舗では店員に見せることができる。
【００４６】
また、図１７に示すように、友達等に待ち合わせ場所を知らせる際に便利なシェア機能や、行きたい場所を保存できるお気に入り登録機能も実装する。
具体的には、図１７（ａ）の画面で目的地を設定した後、「友達に知らせる」ボタンをタップすることにより、図１７（ｂ）のように、各種ＳＮＳ機能やメッセージ機能等の利用可能な他のプログラム等を示すアイコンが表示され、その中から選択したＳＮＳ機能等を通じて、メッセージと共に場所をシェアすることができ、待ち合わせに便利である。また、図１７（ａ）の画面で目的地を設定した後、「お気に入り登録」ボタンをタップすることにより、図１７（ｃ）のように、ブックマーク的に気に入った場所を保存しておくことができる。
【００４７】
＜ナビゲーションシステムの管理方法＞
次に、管理端末３に表示される画面を参照しつつ、管理サーバ１４での処理について説明する。
図１８は、管理端末３側における画面遷移を説明する図である。図１９〜図３７は、管理端末３に表示された画面の一例を示した図である。
【００４８】
図１８に示すように、管理端末３側では、まず、専用ＩＤとパスワードによりログインするとメニュー画面が表示され、そのメニュー画面から選択によって、アバターマスタ管理画面、アバターＰＩＮ画像管理画面、アバター写真管理画面、アバターＰＩＮ情報管理画面、おすすめＰＩＮ情報管理画面、レビュー情報管理画面、ＰＲコンテンツ管理画面、広告バナー管理画面、アバターＰＩＮ画像作成画面、アバターＰＩＮ一括登録画面、のそれぞれの画面に遷移する。
【００４９】
図１９は、アバターマスタ管理画面のアバター一覧画面であり、図２０は、アバター登録／編集画面である。
アバターマスタ管理とは、アバター情報を管理する機能であり、店舗等の地点ごとにアバターＫＥＹ、アバター名称、区分（公式又はアバター）等を設定する。なお、一旦登録した後であっても編集画面において変更等ができる。
【００５０】
図２１は、アバターＰＩＮ画像管理画面のアバターＰＩＮ画像一覧画面であり、図２２は、アバターＰＩＮ画像登録／編集画面である。
アバターＰＩＮ画像管理とは、アバターＰＩＮ画像を管理する機能であり、設定したアバター（アバターテーブルから取得したアバター名称）ごとにアバターＰＩＮ画像名、アバターＰＩＮ画像等を設定する。ＰＩＮ画像はオリジナルな画像ファイルを添付することができる。なお、一旦登録した後であっても編集画面において変更等ができる。
【００５１】
図２３は、アバター写真管理画面のアバター写真一覧画面であり、図２４は、アバター写真登録／編集画面である。
アバター写真管理とは、アバターＰＩＮの詳細画面に表示する画像を管理する機能であり、設定したアバター（アバターテーブルから取得したアバター名称）ごとに画像ファイル名、画像区分（写真又はサムネイル）、画像等を設定する。画像は写真等のオリジナルな画像ファイルを添付することができる。なお、一旦登録した後であっても編集画面において変更等ができる。
【００５２】
図２５は、アバターＰＩＮ情報管理画面のアバターＰＩＮ一覧画面であり、図２６Ａ、図２６Ｂ及び図２７Ａ、図２７Ｂは、アバターＰＩＮ情報登録／編集画面である。
アバターＰＩＮ情報管理とは、アバターＰＩＮの詳細情報を管理する機能であり、検索結果を所定形式のファイルでダウンロードする機能である。設定したアバター（アバターテーブルから取得したアバター名称）ごとにアバターＰＩＮＩＤ、ＰＩＮ名称、写真、サムネイル画像、ジャンル、ＰＲバナー画像、各国語（日本語、英語、繁体）用のＰＩＮ情報、クーポン画像等を設定する。写真、サムネイル画像、ＰＲバナー画像、クーポン画像等にはオリジナルな画像ファイルを添付することができる。なお、一旦登録した後であっても編集画面において変更等ができる。
【００５３】
図２８は、おすすめＰＩＮ情報管理画面のおすすめＰＩＮ一覧画面であり、図２９は、おすすめＰＩＮ情報登録／編集画面である。
おすすめＰＩＮ情報管理とは、おすすめＰＩＮエリアに表示するＰＩＮ情報を管理する機能であり、タイトル（日本語、英語、繁体）、検索キーワード（日本語、英語、繁体）、アイコン画像、スタンプラリーの対象／非対象、表示順等を設定する。アイコン画像にはオリジナルな画像ファイルを添付することができる。なお、一旦登録した後であっても編集画面において変更等ができる。
【００５４】
図３０は、レビュー情報管理画面のレビュー一覧画面であり、図３１は、レビュー情報編集画面である。
レビュー情報管理とは、アバターＰＩＮのユーザーレビューを表示する機能であり、タイトル、投稿言語（日本語、英語、繁体）、評価値、論理削除の状態、通報有無、通報件数等を設定する。なお、レビュー内容は自動翻訳することもできる。
【００５５】
図３２は、ＰＲコンテンツ管理画面のＰＲコンテンツ一覧画面であり、図３３は、ＰＲコンテンツ登録／編集画面である。
ＰＲコンテンツ管理とは、アバターＰＩＮの詳細情報に表示するＰＲバナーを管理する機能であり、ＰＩＮ名称、表示順、表示対象言語（日本語、英語、繁体）等を設定する。なお、一旦登録した後であっても編集画面において変更等ができる。
【００５６】
図３４は、広告バナー管理画面の広告バナー一覧画面であり、図３５は、広告バナー登録／編集・削除画面である。
広告バナー管理とは、検索トップ画面に表示する広告バナーを管理する機能であり、対象言語（日本語、英語、繁体）、広告バナー画像、広告バナー遷移先ＵＲＬ、掲載開始日、掲載終了日等を設定する。バナー画像にはオリジナルな画像ファイルを添付することができる。なお、一旦登録した後であっても編集画面において編集や削除等ができる。
【００５７】
図３６は、アバターＰＩＮ画像作成画面である。
アバターＰＩＮ画像作成とは、アバターＰＩＮで表示する画像を生成する機能である。アバターＰＩＮ画像作成画面では、ＰＩＮ画像としての合成対象画像を選択し、ＰＩＮタイプとして合成元のテンプレートタイプを複数種類の中から選択すると、合成対象画像とテンプレート画像とを合成した合成イメージ作成されて表示される。また、合成対象画像の合成位置は、縦方向及び横方向に移動可能であり、その拡大率も変更可能である。合成画像はオリジナルな画像ファイルを添付することができ、アバターＰＩＮに音を添付することもできる。なお、一旦登録した後であっても編集画面において変更等ができる。
【００５８】
図３７は、アバターＰＩＮ一括登録画面である。
アバターＰＩＮ一括登録とは、アバターＰＩＮを所定形式のファイルを利用して一括登録する機能である。アバターＰＩＮ一括登録画面では、アバター名称、アバターＰＩＮ画像名称、所定形式のファイルを選択し、「アップロード」ボタンをタップすることにより、選択した内容をアバターＰＩＮ情報に登録する。アップロード後は、アップロード結果（アップロードの成否）が表示される。アップロードに失敗した場合は、エラー情報も表示される。
【００５９】
＜その他＞
本実施形態のナビゲーションシステムＳでは、旅行者等が徒歩圏内の場所にスムーズに辿り着くためのアプリを提供することができる。また、地図は、世界の主要国で使用可能であり、言語も使用する情報端末２に合せて最適化されるので（例えば、日本語、英語、繁体字、韓国語等）、日本人、外国人を問わず、世界各国で利用することができる。そのため、ユーザは、旅行中や移動中に迷うこともなく、直感で出掛けることができ、気軽に旅や移動を楽しむことができる。
【００６０】
以上までに本発明のナビゲーション装置及びナビゲーション方法の一例について説明してきたが、上記の実施形態は、本発明の具体的構成の一つに過ぎず、他の構成例や適用例も考えられる。
例えば、本実施形態では、音を発生するピンやキャラクターピンを例に挙げて説明したが、これに限定されず、その他の静止画像、動画像、ホログラム、仮想立体像等をマークとして使用することができる。また、マークの一例としてピンを挙げて説明したが、特徴的な態様により地図上で地点を示す目印として機能するものであれば、これに限定されるものではない。
【符号の説明】
【００６１】
１    サーバ（ナビゲーション装置）
２    情報端末
３    管理端末
４    各種ＡＰＩ
５    翻訳ＡＰＩ
６    外部サーバ
７    データベースサーバ
１１  仮想サーバ
１２  処理サーバ
１３  調査サーバ
１４  管理サーバ
１５  ロードバランサー
１６  ＡＰＩゲートウェイ
１７  ストレージ
Ｓ    ナビゲーションシステム
【図１】
2020046548.tif 000003
【図２】
2020046548.tif 000004
【図３】
2020046548.tif 000005
【図４】
2020046548.tif 000006
【図５】
2020046548.tif 000007
【図６】
2020046548.tif 000008
【図７】
2020046548.tif 000009
【図８】
2020046548.tif 000010
【図９】
2020046548.tif 000011
【図１０】
2020046548.tif 000012
【図１１】
2020046548.tif 000013
【図１２】
2020046548.tif 000014
【図１３】
2020046548.tif 000015
【図１４】
2020046548.tif 000016
【図１５】
2020046548.tif 000017
【図１６】
2020046548.tif 000018
【図１７】
2020046548.tif 000019
【図１８】
2020046548.tif 000020
【図１９】
2020046548.tif 000021
【図２０】
2020046548.tif 000022
【図２１】
2020046548.tif 000023
【図２２】
2020046548.tif 000024
【図２３】
2020046548.tif 000025
【図２４】
2020046548.tif 000026
【図２５】
2020046548.tif 000027
【図２６Ａ】
2020046548.tif 000028
【図２６Ｂ】
2020046548.tif 000029
【図２７Ａ】
2020046548.tif 000030
【図２７Ｂ】
2020046548.tif 000031
【図２８】
2020046548.tif 000032
【図２９】
2020046548.tif 000033
【図３０】
2020046548.tif 000034
【図３１】
2020046548.tif 000035
【図３２】
2020046548.tif 000036
【図３３】
2020046548.tif 000037
【図３４】
2020046548.tif 000038
【図３５】
2020046548.tif 000039
【図３６】
2020046548.tif 000040
【図３７】
2020046548.tif 000041